(57)【要約】【課題】沿岸海域の水質及び底質の浄化を図る。【解決手段】重金属等の有害物質に汚染された沿岸海域に、  アマモの種子を播種、またはアマモを移植してアマモ場を形成する。アマモは栄養塩類を養分として吸収し、海水の富栄養化を防ぐとともに海水中及び海底中の重金属類などの有害物質を吸収して水質及び底質を浄化する。秋季に枯死して流出したアマモの葉を回収することにより、アマモが吸収した有害物質の拡散を防止する。【選択図】  図１
2004290802.tif 000002
【特許請求の範囲】
【請求項１】
重金属等の有害物質に汚染された沿岸海域に、アマモの種子を播種、またはアマモを移植してアマモ場を形成し、アマモにより海水及び海底を浄化するとともに、枯死して流出したアマモの葉を回収して処分することにより、アマモの葉中に蓄積された有害物質の拡散を防止するアマモを用いた沿岸海域の浄化方法。
【発明の詳細な説明】
【０００１】
【発明の属する技術分野】
この発明は、沿岸海域の浄化方法に関するものであり、特に、アマモを用いて海水中及び海底中の有害物質を回収する沿岸海域の浄化方法に関するものである。
【０００２】
【従来の技術】
沿岸都市部や沿岸工業地帯などに近接する海域や浚渫汚泥を埋め立てた沿岸部などでは海水の汚濁や海底の汚染が進んでいるところがある。このような汚濁海水や海底の浄化方法の一つとして海草や海藻の浄化作用を利用する方法が知られている。
【０００３】
海藻育成技術の一例としては、コンクリートブロックの表面をフェライト系の物質で覆い、着藻しやすくしたものを護岸工事に利用して、コンクリートブロックに定着した海藻により海水の濁度の改善を図った技術が提案されている（特許文献１）。
【０００４】
また、海草育成技術としては、  鉄筋コンクリートなどの枠体に三次元網目状の人工海藻を張り、この枠体を海底へ設置して海草種子や砂の流出を防ぎ、海草の発育を促進するようにした技術（特許文献２）などが知られている。
【０００５】
【特許文献１】特開平５−２４９５４号公報
【０００６】
【特許文献２】特開平９−７４９３９号公報
【０００７】
【発明が解決しようとする課題】
従来、海藻や海草を育成する方法に関して種々の提案がなされているが、いずれも海藻や海草の浄化機能による海水濁度の改善や魚介類保護作用に着目しているものであり、海水や海底の環境汚染物質の浄化或いは回収についての提案はなされていない。
【０００８】
そこで、自然生物である海草類を利用して重金属類などの有害物質を回収できるようにするために解決すべき技術的課題が生じてくるのであり、本発明は上記課題を解決することを目的とする。
【０００９】
【課題を解決するための手段】
この発明は、上記目的を達成するために提案するものであり、重金属等の有害物質に汚染された沿岸海域に、アマモの種子を播種、またはアマモを移植してアマモ場を形成し、アマモにより海水及び海底を浄化するとともに、枯死して流出したアマモの葉を回収して処分することにより、アマモの葉中に蓄積された有害物質の拡散を防止するアマモを用いた沿岸海域の浄化方法を提供するものである。
【００１０】
【発明の実施の形態】
この発明は、沿岸部の浅瀬（干潮線下１０ｍ程度までで最も多くは５ｍ程度まで）の砂泥質海底に群生するアマモの性質に着目し、これを利用して水質及び底質の浄化を図るものである。
【００１１】
アマモは１ｍ超程度までに生育する海草であって、潮流が比較的緩やかな沿岸部海底が植生域であり、アマモが群落状に生育しているアマモ場は魚介類の格好の成育場所となっている。アマモは種子による繁殖と地下茎の分枝による繁殖の二つの繁殖方法をもっていて、日本では６月から７月にかけて成熟して種子を海水中に放出する。
【００１２】
図１のステップ３乃至５はアマモの一年の生命サイクルを示しており、葉は８月から１１月にかけて枯死して脱落し、脱落した葉の一部は海底に沈積し、その他は海を漂流して海浜へ漂着することが多い。夏季に海中へ放出された種子は１２月以降に発芽し、冬から春にかけて生長が盛んになり株分かれを繰り返して繁茂するようになる。
【００１３】
また、秋に葉が枯れて流出した後に生き残っている地下茎は、水温が低下してくると枝分かれして伸長し、枝分かれした地下茎から新しいアマモが生えてきて、春には草体に成長するが、高温水域では地下茎の分枝はみられず、一年で寿命を終える。
【００１４】
アマモは、根、茎及び葉から窒素やリンなどの栄養塩類を取り込んで海水の富栄養化を抑制するとともに、有害物質である重金属類や有機スズ化合物なども吸収する作用があり、水質や底質の浄化の面で重要な役割を果たしている。したがって、内湾などの閉鎖海域の沿岸にアマモ場を造成すれば、沿岸の環境浄化に効果的であるが、アマモは毎年葉が抜け落ちるので、有害物質が蓄積された葉が漂流或いは海底に沈積することになり、抜け落ちた葉を放置していては抜本的な有害物質浄化策とはならないという問題がある。
【００１５】
そこで、本発明は、アマモ場造成から枯死したアマモの回収までを含めた一連のプロセスを実行することにより、環境の浄化及び保全を達成することを図っている。これには先ず、浄化を目的とする重金属等の有害物質に汚染された沿岸海域にアマモ場を造成する（図１のステップ１）。条件としてはアマモが生育及び光合成可能な深度（海水の濁度によって異なる）で、底質は粘土やシルト質土が少ない砂泥質が望ましい。底質が好適でない場合は、例えば水砕スラグなどを海底に敷設して底質改良を行いアマモの生育環境を整える方法がある。
【００１６】
次にアマモ場の造成であるが、これには通常の播種による栽培、アマモ栽培具や他の播種手段による栽培、移植などの手段（図１のステップ２）がある。海流が穏やかで底質が適している場合は、播種によっても種子が定着して発芽するが、海流速度や底質などの条件がよくない場合は、例えば植物繊維のロープや生分解性プラスチックシートにアマモ種子を埋込んだ培養基体を海底に敷設したり、アマモ種子と砂とゲル状物質を混合したものを海底に撒布したりして種子の流出を防ぐ。また、他の栽培施設で栽培したアマモを移植してもよく、大量の移植に適した方法としては、底板着脱式のコンテナにアマモを収容して現場へ運び、海底へコンテナを埋没させて底板を取り外し、コンテナ本体を上へ持ち上げてアマモを海底へ着床させる方法などが知られている。
【００１７】
夏季に播種を行えば、１２月以降に種子が発芽して翌年の春には多数のアマモが繁茂したアマモ場が形成される。そして、８月から１１月の枯死時期までは、アマモが海水中や海底中の栄養塩類を取り込み、重金属などの有害物質も吸収するが、枯死することにより有害物質が蓄積された葉が漂流或いは沈積することになる。よって、枯死時期からはアマモの葉を回収して有害物質の拡散を防ぐ（図１のステップ６）。
【００１８】
葉の回収手段としては、漂流物回収船や海浜漂着物回収作業車両、地引網などを用い、例えば水中トラップを備えた漂流物回収船により漂流している葉を回収し、海岸へ漂着した葉は海浜漂着物回収作業車両などを用いて回収する。また、海底に沈積している葉は地引網により回収する。これらの回収作業は脱落葉がなくなるまで続け、回収した葉の有害物除去処理や焼却処分を行って汚染の拡散を防止する。また、当年度のアマモ場の形成状況や繁茂状態のデータに基づいて、必要であれば夏季の間に播種や培養基体の敷設などを行い次年度に備える。
【００１９】
以上説明したように、アマモ場の形成から脱落葉の回収までのプロセスを実行することにより、魚介類の保護及び育成、海水中の栄養塩類の吸収による海水の浄化及び砂浜浸食防止、自然浄化機能の回復または向上などのアマモが本来有する環境改善作用に加えて、海域の重金属や有機スズ化合物などの有害物質を回収してその拡散を防止することができる。また、海岸に埋立処分した汚染浚渫土から浸出する有害物質も回収でき、沿岸域における生物濃縮作用防止などを目的とする汚泥浚渫処分や覆砂法などと併用することにより緊急的な汚染対策に利用することもできる。
【００２０】
【発明の効果】
本発明の沿岸海域の浄化方法は、浄化を目的とする沿岸海域にアマモ場を造成し、海水や海底から重金属類などの有害物質を吸収した葉を回収して処理するものであって、水中及び海底が浄化されるとともに葉を放置した場合に生じる環境汚染の連鎖を断ち切ることができ、海域の環境浄化に効果を奏する。
【００２１】
また、アマモによる浄化は緩速ではあるが確実な効果があり、アマモ場造成の費用以外にかかる費用は、秋季の脱落葉の回収とその処分に要する費用のみであって、一年サイクルでアマモが再生するので運転費用がひくく、大規模なアマモ場を形成して広い浄化区域に対応することも容易であるという特徴がある。
【図面の簡単な説明】
【図１】本発明のプロセスの解説図。
【図１】
2004290802.tif 000003